(57)【要約】【課題】空気流によって発生する騒音をより低減することができる空気調和機の室外機を提供する。【解決手段】空気調和機の室外機は、回転軸を有する送風ファンとベルマウス９とを備える。ベルマウス９は、湾曲部９２と平面部９３とを有する。湾曲部９２は、送風ファンによって回転軸方向に生じる空気流が通る開口を構成し、空気流の吸込み側へと近づくにつれて開口が広がるように曲率半径Ｒで湾曲する。平面部９３は、湾曲部９２の吸込み側の外縁の少なくとも一部から延設される。そして、回転軸を端部とする半平面で平面部９３を切った断面における平面部９３の長さを表す平面部長さＬの最大値Ｌｍと、湾曲部９２の曲率半径Ｒとの比Ｌｍ／Ｒが、０．５≦Ｌｍ／Ｒ≦１．５である。【選択図】        図６
2004211971.tif 000002
【特許請求の範囲】
【請求項１】
回転軸を有する送風ファン（８）と、
前記送風ファン（８）によって前記回転軸方向に生じる空気流が通る開口を構成し前記空気流の吸込み側へと近づくにつれて前記開口が広がるように曲率半径Ｒで湾曲する湾曲部（９２）と、前記湾曲部（９２）の吸込み側の外縁の少なくとも一部から延設される平面部（９３）とを有するベルマウス（９）と、
を備え、
前記回転軸を端部とする半平面で前記平面部（９３）を切った断面における前記平面部（９３）の長さを表す平面部長さＬの最大値Ｌｍと、前記湾曲部（９２）の曲率半径Ｒとの比Ｌｍ／Ｒが、０．５≦Ｌｍ／Ｒ≦１．５である、
空気調和機の室外機。
【請求項２】
前記平面部（９３）は、前記開口を挟んで対向するように設けられる、
請求項１に記載の空気調和機の室外機。
【請求項３】
前記ベルマウス（９）は、前記平面部（９３）と前記湾曲部（９２）とにわたって設けられ、前記平面部（９３）の吹出し側表面および前記湾曲部（９２）の湾曲の内側表面から起立し稜線が前記平面部（９３）および前記湾曲部（９２）に近づくように凹んでいるリブ（９４）を有する、
請求項１または２に記載の空気調和機の室外機。
【請求項４】
第１回転軸を有する第１送風ファン（８１）と、
前記第１送風ファン（８１）によって前記第１回転軸方向に生じる空気流が通る開口を構成し前記空気流の吸込み側へと近づくにつれて前記開口が広がるように曲率半径Ｒ１で湾曲する第１湾曲部（９５ｂ）と、前記第１湾曲部（９５ｂ）の吸込み側の外縁の少なくとも一部から延設される第１平面部（９５ｃ）とを有する第１ベルマウス（９５）と、
前記第１送風ファン（８１）と並んで設けられ、第２回転軸を有する第２送風ファン（８２）と、
前記第２送風ファン（８２）によって前記第２回転軸方向に生じる空気流が通る開口を構成し前記空気流の吸込み側へと近づくにつれて前記開口が広がるように曲率半径Ｒ２で湾曲する第２湾曲部（９６ｂ）と、前記第２湾曲部（９６ｂ）の吸込み側の外縁の少なくとも一部から延設される第２平面部（９６ｃ）とを有し、前記第１ベルマウス（９５）と並んで設けられる第２ベルマウス（９６）と、
を備え、
前記第１回転軸を端部とする半平面で前記第１平面部（９５ｃ）を切った断面における前記第１平面部（９５ｃ）の長さを表す第１平面部長さＬ１の最大値Ｌｍ１と、前記第１湾曲部（９５ｂ）の曲率半径Ｒ１との比Ｌｍ１／Ｒ１が、０．５≦Ｌｍ１／Ｒ１≦１．５であり、
前記第２回転軸を端部とする半平面で前記第２平面部（９６ｃ）を切った断面における前記第２平面部（９６ｃ）の長さを表す第２平面部長さＬ２の最大値Ｌｍ２と、前記第２湾曲部（９６ｂ）の曲率半径Ｒ２との比Ｌｍ２／Ｒ２が、０．５≦Ｌｍ２／Ｒ２≦１．５であり、
前記第１平面部（９５ｃ）と前記第２平面部（９６ｃ）とは、前記第１湾曲部（９５ｂ）と前記第２湾曲部（９６ｂ）とが近接する部分近傍を除いて設けられる、
空気調和機の室外機。
【請求項５】
前記第１ベルマウス（９５）の外縁および前記第２ベルマウス（９６）の外縁が略四角形に形成されている、
請求項４に記載の空気調和機の室外機。
【発明の詳細な説明】
【０００１】
【発明の属する技術分野】
本発明は、空気調和機の室外機、特にベルマウスを備える空気調和機の室外機に関する。
【０００２】
【従来の技術】
空気調和機の室外機には送風ファンが備えられ、送風ファンによって、室外機内に取り込まれ再び室外機の外部へと吹き出す空気流が生成される。そして、室外機から吹き出す空気の出口近傍には、図１５に示すようなベルマウスが設けられ、室外へと吹き出す空気の流路が形成されることが多い。送風ファンによって生じた空気流はこのベルマウスを通過するが、このとき空気流による騒音が発生することがある。このため、従来、空気流の吸込み側に湾曲部が設けられたベルマウスが考案されている（特許文献１参照）。このベルマウスの湾曲部は、送風ファンによって生じる空気流が通る開口を構成しており、図１６に示すように、空気流の吸込み側へと近づくにつれて開口が広がるように曲率半径Ｒで湾曲している。なお、図１４において、右側が吸込み側であり、左側が吹出し側である。
【０００３】
このような湾曲部がベルマウスの吸い込み側の外縁を構成することにより、空気流が円滑にベルマウスを通過することができ、空気流による騒音が低減される。
【０００４】
【特許文献１】
特開平１１−１４１０１号公報（第１（ｂ）図および第１（ｃ）図）
【０００５】
【発明が解決しようとする課題】
上記のような湾曲部がベルマウスの吸い込み側の外縁を構成することにより、空気流による騒音が低減する。しかし、空気調和機の使用者等にとっては、このような騒音はより低減されることが望ましい。
本発明の課題は、空気流によって発生する騒音をより低減することができる空気調和機の室外機を提供することにある。
【０００６】
【課題を解決するための手段】
請求項１に記載の空気調和機の室外機は、回転軸を有する送風ファンと、ベルマウスとを備える。ベルマウスは、湾曲部と平面部とを有する。湾曲部は、送風ファンによって回転軸方向に生じる空気流が通る開口を構成し、空気流の吸込み側へと近づくにつれて開口が広がるように曲率半径Ｒで湾曲する。平面部は、湾曲部の吸込み側の外縁の少なくとも一部から延設される。そして、回転軸を端部とする半平面で平面部を切った断面における平面部の長さを表す平面部長さＬの最大値Ｌｍと、湾曲部の曲率半径Ｒとの比Ｌｍ／Ｒが、０．５≦Ｌｍ／Ｒ≦１．５である。
【０００７】
この空気調和機の室外機では、湾曲部の吸込み側の外縁の少なくとも一部から平面部が延設されている。このため、ベルマウスへと吸い込まれる空気が湾曲部の吸込み側の外縁で巻き込まれることが平面部によって抑えられる。従って、湾曲部の吸込み側の外縁近傍での空気流の乱れを低減することができ、空気流による騒音を低減することができる。また、このような騒音の低減の効果は、平面部長さＬと、湾曲部の曲率半径Ｒとに関係し、平面部長さＬの最大値Ｌｍと、湾曲部の曲率半径Ｒとの比Ｌｍ／Ｒが、０．５≦Ｌｍ／Ｒ≦１．５であることが望ましいことが、本願の発明者によって明らかになった。そして、この空気調和機の室外機は、この条件に適合するベルマウスを備えるため、空気流による騒音をより低減することができる。
【０００８】
請求項２に記載の空気調和機の室外機は、請求項１に記載の空気調和機の室外機であって、平面部は、開口を挟んで対向するように設けられる。
この空気調和機の室外機では、平面部は、開口を挟んで対向するように設けられる。このため、この空気調和機の室外機では、送風音の偏りを低減することができる。
【０００９】
請求項３に記載の空気調和機の室外機は、請求項１または２に記載の空気調和機の室外機であって、ベルマウスは、平面部と湾曲部とにわたって設けられるリブを有する。このリブは、平面部の吹出し側表面および湾曲部の湾曲の内側表面から起立しており、リブの稜線が平面部および湾曲部に近づくように凹んでいる。
【００１０】
ベルマウスに平面部が設けられる場合、補強のために湾曲部と平面部とにわたってリブが設けられることが望ましい。しかし、このリブが空気流の妨げとなると、空気流による騒音が発生し易くなる。
この空気調和機の室外機では、リブは、平面部の吹出し側表面および湾曲部の湾曲の内側表面から起立しており、リブの稜線が平面部および湾曲部に近づくように凹んでいる。このため、リブが設けられている側の湾曲部と平面部との表面に沿って流れる空気流がリブによって妨げられることが低減している。これにより、この空気調和機の室外機では、リブによって騒音が生じる恐れを低減することができる。
【００１１】
請求項４に記載の空気調和機の室外機は、第１回転軸を有する第１送風ファンと、第１ベルマウスと、第２回転軸を有する第２送風ファンと、第２ベルマウスとを備える。第１ベルマウスは、第１湾曲部と第１平面部とを有する。第１湾曲部は、第１送風ファンによって第１回転軸方向に生じる空気流が通る開口を構成し、空気流の吸込み側へと近づくにつれて開口が広がるように曲率半径Ｒ１で湾曲する。第１平面部は、第１湾曲部の吸込み側の外縁の少なくとも一部から延設される。第２送風ファンは、第１送風ファンと並んで設けられる。第２ベルマウスは、第１ベルマウスと並んで設けられ、第２湾曲部と第２平面部とを有する。第２湾曲部は、第２送風ファンによって第２回転軸方向に生じる空気流が通る開口を構成し、空気流の吸込み側へと近づくにつれて開口が広がるように曲率半径Ｒ２で湾曲する。第２平面部は、第２湾曲部の吸込み側の外縁の少なくとも一部から延設される。そして、第１回転軸を端部とする半平面で第１平面部を切った断面における第１平面部の長さを表す第１平面部長さＬ１の最大値Ｌｍ１と、第１湾曲部の曲率半径Ｒ１との比Ｌｍ１／Ｒ１が、０．５≦Ｌｍ１／Ｒ１≦１．５である。また、第２回転軸を端部とする半平面で第２平面部を切った断面における第２平面部の長さを表す第２平面部長さＬ２の最大値Ｌｍ２と、第２湾曲部の曲率半径Ｒ２との比Ｌｍ２／Ｒ２が、０．５≦Ｌｍ２／Ｒ２≦１．５である。そして、第１平面部と第２平面部とは、第１湾曲部と第２湾曲部とが近接する部分近傍を除いて設けられる。
【００１２】
この空気調和機の室外機では、第１湾曲部の吸込み側の外縁の少なくとも一部から第１平面部が延設される。また、第２湾曲部の吸込み側の外縁の少なくとも一部から第２平面部が延設される。このため、第１ベルマウスや第２ベルマウスへと吸い込まれる空気が第１湾曲部や第２湾曲部の吸込み側の外縁近傍で巻き込まれることが抑えられる。従って、第１湾曲部や第２湾曲部の吸込み側の外縁での空気流の乱れを低減することができ、空気流による騒音を低減することができる。また、このような騒音の低減の効果は、第１平面部長さＬ１と、第１湾曲部の曲率半径Ｒ１とに関係し、第１平面部長さＬ１の最大値Ｌｍ１と、第１湾曲部の曲率半径Ｒ１との比Ｌｍ１／Ｒ１が、０．５≦Ｌｍ１／Ｒ１≦１．５であることが望ましく、同様に、第２平面部長さＬ２の最大値Ｌｍ２と、第２湾曲部の曲率半径Ｒ２との比Ｌｍ２／Ｒ２が、０．５≦Ｌｍ２／Ｒ２≦１．５であることが望ましいことが、本願の発明者によって明らかになった。そして、この空気調和機の室外機は、この条件の第１ベルマウスおよび第２ベルマウスを備えるため、空気流による騒音をより低減することができる。
【００１３】
また、第１ベルマウスと第２ベルマウスとが並設される場合、空気調和機の室外機の大型化を抑制するという観点からは、第１ベルマウスと第２ベルマウスとは近接して配置されることが望ましい。
この空気調和機の室外機では、第１平面部と第２平面部とは、第１湾曲部と第２湾曲部とが近接する部分近傍を除いて設けられる。このため、第１平面部と第２平面部とが第１ベルマウスと第２ベルマウスとを近接させて設ける際の妨げとなる恐れが少ない。これにより、第１ベルマウスと第２ベルマウスとを近接させて設けることが容易になっており、空気調和機の室外機の大型化を抑制することができる。
【００１４】
請求項５に記載の空気調和機の室外機は、請求項４に記載の空気調和機の室外機であって、第１ベルマウスの外縁および第２ベルマウスの外縁が略四角形に形成されている。
第１ベルマウスと第２ベルマウスとが並設される場合、第１ベルマウスと第２ベルマウスとが円形となっていると、第１ベルマウスと第２ベルマウスとの間に隙間が生じ易い。
【００１５】
しかし、この空気調和機の室外機では、第１ベルマウスの外縁および第２ベルマウスの外縁が略四角形に形成されている。このため、第１ベルマウスと第２ベルマウスとが並設される場合でも、ベルマウスの平面部の間に隙間が生じ難くなっている。
【００１６】
【発明の実施の形態】
＜第１実施形態＞
［全体構成］
本発明の第１実施形態が採用された空気調和機１の外観を図１に示す。空気調和機１は、室内に配置される室内機２と、室外に配置される室外機３とに分かれたセパレート型の空気調和機である。なお、図中では１台の室内機２が室外機３に接続されているが、一台の室外機３に複数台の室内機２が接続されてもよい。
【００１７】
［室外機の概略構成］
室外機３は、略箱状のケーシング４を有しており、ケーシング４の内部は、仕切り板によって、左右に、通気室ＳＰ１と機械室ＳＰ２との２つの空間にそれぞれ分けられている。
左側に位置する通気室ＳＰ１は、室外熱交換器が配置され室外熱交換器を通って熱交換される空気が通る空間である。ケーシング４の前面には前板４０が設けられている。前板４０は、板金から形成されており、吹出し口４１が設けられている。また、吹出し口４１の前面には格子状の保護パネル４２が設けられている。室外機３の背面から通気室ＳＰ１に吸い込まれた空気は、吹出し口４１から排出される。なお、通気室ＳＰ１の背面側は開かれており、通気室ＳＰ１の背面側から室外の空気が通気室ＳＰ１へと取り込まれる。
【００１８】
右側に位置する機械室ＳＰ２は、通気室ＳＰ１からある程度隔離された空間となっており、圧縮機や四路切換弁、電装品などが収容されている。
通気室ＳＰ１には、図２に示すように、室外熱交換器５、ファンモータ台６、ファンモータ７、送風ファン８、ベルマウス９などが配置されている。なお、図２は、室外機３の側面断面の模式図であるが、理解の容易のために、ファンモータ台６、ファンモータ７、送風ファン８については側面図として記載している。
【００１９】
室外熱交換器５は、空気調和機１の冷媒回路の一部を構成しており、通過する空気との間で熱交換を行う。ファンモータ台６は、室外熱交換器５の前方に配置されており、下端が室外機３のケーシング４の底板４３の上面に固定されている。ファンモータ７は、ファンモータ台６に支持されており、送風ファン８を回転駆動する。ファンモータ７は、中心軸が、水平方向に、すなわち、室外機３の正面および背面に垂直な方向を向くように配置されている。ファンモータ７の前方には、送風ファン８およびベルマウス９が配置されている。送風ファン８は、複数の羽を有するプロペラファンであり、ファンモータ台６およびファンモータ７の前方に位置している。送風ファン８は、ファンモータ７の回転軸７２に固定されており、ファンモータ７によって回転駆動されることにより、空気の流れを生成する。ベルマウス９は、前板４０の内側に取り付けられ、送風ファン８の周囲を覆うように配置されている。前板４０およびベルマウス９については後に詳述する。送風ファン８によって生成された空気流は、外部から室外機３の背面側を通って室外機３内に取り込まれ、室外熱交換器５を通り、ベルマウス９の開口および前板４０の吹出し口４１を通って外部へと吹き出す（破線矢印Ａ１参照）。
【００２０】
［前板４０の構成］
図３に前板４０の正面図を示す。
前板４０は、略板状の部材であり、室外機３の前面側に配置されている。前板４０は、前板平面部４４と吹出し部４５とにより構成されている。
前板平面部４４は、板状の部材であり、室外機３の前面を覆っている。前板平面部４４の中央付近には、円形の開口からなる吹出し口４１が設けられている。
【００２１】
吹出し部４５は、図２に示すように、吹出し口４１の縁から連続して室外機３の内側へと突出する環状の部分であり、送風ファン８によって生じる空気流が通る円形の開口を構成している。吹出し部４５と吹出し口４１とが連続する部分には微小なアール面が形成されている。また、吹出し部４５は、送風ファン８の前側部分の周囲を覆うように配置されている。
【００２２】
［ベルマウス９の構成］
図４にベルマウス９の正面図、図５にベルマウス９の左側面図を示す。なお、図４は、ベルマウス９を前面側から見た図である。
ベルマウス９は、前板４０の吹出し部４５と共に、室外へと吹き出す空気が通る空気経路を形成している。ベルマウス９は、前板４０の内側に配置されており、その外縁が略四角形状になっている。ベルマウス９は、円筒部９１と、湾曲部９２と平面部９３とを有している。
【００２３】
円筒部９１は、薄肉の円筒形状を有している。円筒部９１は、ベルマウス９の前側部分に、すなわち吹出し側部分を構成しており、送風ファン８によって生じる空気流が通る円形の開口を構成している。円筒部９１は、中心が送風ファン８の回転軸と一致するように配置されており、内径が前板４０の吹出し部４５の内径と一致するように形成されている。このため、ベルマウス９が前板４０に取り付けられた状態では、円筒部９１の内周面と吹出し部４５の内周面とが合致した状態となる。
【００２４】
湾曲部９２は、送風ファン８によって回転軸方向に生じる空気流が通る円形の開口を構成しており、回転軸方向の空気流の吸込み側へと近づくにつれて開口が広がるように曲率半径Ｒで湾曲している。湾曲部９２は、円筒部９１と共に空気経路を形成しており、開口の中心が送風ファン８の回転軸と一致するように配置されている。図６にベルマウス９の断面図を示す。湾曲部９２は、環状の形状を有しており、空気流の吸込み側へと近づくにつれて、開口の径方向外側へと曲率半径Ｒで湾曲している。なお、図６では、図中上側が空気流の吸込み側（上流側）すなわち室外機３の背面側であり、図中下側が空気流の吹出し側（下流側）すなわち室外機３の前面側となっている。湾曲部９２は、前側では円筒部９１と同一の内径となっており、背面側へと近づくにつれて内径が拡大している。湾曲部９２の吸込み側の外周縁は、図４に示すように、正面視において孔の周囲に沿った４つの円弧状の部分（図中の二点鎖線参照）と、各円弧の端部を繋ぐ直線状の部分とによって形成されている。湾曲部９２の外周縁の直線状の部分は、四角形状のベルマウス９の外縁に沿った形状となっている。４つの円弧状の部分は、それぞれ対になって開口を挟んで対向するように配置されている。
【００２５】
平面部９３は、図４に示すように、湾曲部９２の外周縁の４つの円弧状の部分からそれぞれ延設されており、開口を挟んで対向するように設けられている。具体的には、平面部は、４つの部分９３ａ，９３ｂ，９３ｃ，９３ｄに分かれて設けられており、各部分９３ａ，９３ｂ，９３ｃ，９３ｄが開口の中心を基準にして対称に配置されている。正面視において、平面部９３の外縁は、湾曲部９２の直線部分と共にベルマウス９の外縁に沿った形状となっており、四角形状の角部分近傍を構成している。また、平面部９３は、図６に示すように。湾曲部９２の吸込み側の外周縁から延設されている。平面部９３は、径方向に略平行になっており、回転軸方向から約９０度湾曲している湾曲部９２の吸込み側の外縁と滑らかに連続している。
【００２６】
また、送風ファン８の回転軸を端部とする平面で平面部９３を切った断面における平面部９３の長さで定義される平面部長さＬは、湾曲部９２の吸込み側の外縁から平面部９３の外縁までの距離を表しており、平面部９３の外縁がベルマウス９の外縁に沿った形状となるように、部分によって異なる値となっている。平面部長さＬの最大値Ｌｍは、湾曲部９２の外周縁から四角形状の角部分までの距離であり、このベルマウス９では、平面部長さＬの最大値Ｌｍと、湾曲部９２の曲率半径Ｒとの比Ｌｍ／Ｒが、Ｌｍ／Ｒ＝１となっている。
【００２７】
なお、本実施形態では、平面部９３は、径方向に略平行になっており、回転軸方向から約９０度湾曲している湾曲部９２の吸込み側の外縁と滑らかに連続しているため、平面部長さＬは、開口の中心から伸びる放射線方向の平面部９３の長さとしても定義される。
さらに、このベルマウス９には、平面部９３と湾曲部９２とにわたって設けられ、湾曲部９２の外周縁の円周方向に交差する複数のリブ９４が設けられている。リブ９４は、平面部９３の吹出し側表面および湾曲部の湾曲の内側表面から起立して設けられている。図７に、ベルマウス９のリブ９４が設けられている部分の断面図を示す。リブ９４は、その稜線９９が平面部９３および湾曲部９２に近づくように凹んだ形状となっており、リブ９４は、湾曲部９２と平面部９３との断面形状に概ね沿ったＬ字型形状となっている。
【００２８】
［特徴］
（１）
この空気調和機１の室外機３では、図６に示すように、湾曲部９２の吸込み側の外周縁から、径方向に略平行な平面部９３が延設されている。このため、ベルマウス９へと吸い込まれる空気が湾曲部９２の吸込み側の外周縁で巻き込まれることが抑えられる。従って、湾曲部９２の吸込み側の外周縁での空気流の乱れが低減し、空気流による騒音が低減する。
【００２９】
また、このような騒音の低減の効果は、平面部長さＬと、湾曲部９２の曲率半径Ｒとに関係し、平面部長さＬの最大値Ｌｍと、湾曲部９２の曲率半径Ｒとの比Ｌｍ／Ｒが、０．５≦Ｌｍ／Ｒ≦１．５であることが望ましいことが本願の発明者によって明らかになっている。
空気流による騒音の低減に関する試験条件および試験結果を図８から図１０に示す。
【００３０】
この試験では、図８に示すように、平面部長さＬの異なる複数種類のベルマウス９について、それぞれのベルマウス９が備えられた室外機３の送風音の大きさが測定された。試験は、曲率半径Ｒ＝３０ｍｍに対して平面部長さＬ＝０，１５，３０，４５ｍｍの４種類のベルマウス９に対して行われた。なお、試験で用いられたベルマウス９の外縁は円形になっており、各ベルマウス９の平面部長さＬは一定となっている。すなわち、平面部長さＬ＝平面部長さの最大値Ｌｍとなっている。また、各ベルマウス９について、ファンモータへの入力電力は略一定とされ、送風ファン８による風量は一定とされている。
【００３１】
図９に試験結果を表すグラフ、図１０に実験結果の表を示す。
図９および図１０から分かるように、平面部９３が設けられていないＬ／Ｒ＝０の場合と比較すると、Ｌ／Ｒ＝＝０．５，Ｌ／Ｒ＝１，Ｌ／Ｒ＝１．５のいずれの場合も送風音が低下している。また、Ｌ／Ｒ＝＝０．５，Ｌ／Ｒ＝１，Ｌ／Ｒ＝１．５のなかでも、Ｌ／Ｒ＝１の場合が最も送風音が低下している。
【００３２】
上述したように、室外機３が備えるベルマウス９では、平面部長さＬの最大値Ｌｍと、湾曲部９２の曲率半径Ｒとの比Ｌｍ／Ｒが、Ｌｍ／Ｒ＝１となっている。このため、この室外機３では、空気流による騒音がより低減することが分かる。
（２）
ベルマウス９に平面部９３が設けられると、図１６に示すような平面部９３をほとんど有さない従来のベルマウスと比べてベルマウス９の寸法が増大する。一方、空気調和機１の室外機３の小型化の観点からは、ベルマウス９の寸法の増大はできるだけ抑えられることが望ましい。
【００３３】
この空気調和機１の室外機３では、平面部９３は、湾曲部９２の外周縁の円周方向の全部に設けられるのではなく、その一部に設けられている。このため、ベルマウス９の平面部９３が、湾曲部９２の外周縁よりも大きな円形の形状となっている場合よりも、ベルマウス９の寸法の増大が抑えられている。
また、平面部９３は、開口を挟んで対向するように配置されている。このため、平面部９３の各部分９３ａ，９３ｂ，９３ｃ，９３ｄの配置は概ね均等になっており、送風音の偏りが防止されている。
【００３４】
（３）
ベルマウス９に平面部９３が設けられる場合、補強のために湾曲部９２と平面部９３との表面にリブ９４を設けることが望ましい。一方、ベルマウス９の周囲を流れる空気流は、ベルマウス９の表面に沿って流れることがある。すなわち、平面部９３の吹出し側表面および湾曲部の湾曲の内側表面にも、空気流が流れる。そして、リブ９４がこのような空気流の妨げとなると、空気流による騒音が発生し易くなる。
【００３５】
しかし、この空気調和機１の室外機３では、リブ９４は、平面部９３の吹出し側表面および湾曲部９２の湾曲の内側表面から起立して設けられ、その稜線９９が平面部９３および湾曲部９２に近づくように凹んだ形状となっている。このため、リブ９４が設けられている側の湾曲部９２と平面部９３とに沿って流れる空気流がリブ９４によって妨げられることが低減している。すなわち、湾曲部９２と平面部９３とにリブ９４が設けられる場合には、リブの形状は、図７に二点鎖線で表すように、平面部９３の吹出し側表面および湾曲部９２の湾曲の内側表面を最短で繋ぐ略三角形状となることが通常である。しかし、このような形状では、平面部９３の吹出し側表面および湾曲部の湾曲の内側表面に沿って湾曲部９２の円周方向に流れる空気流の妨げとなり易い。従って、空気流による騒音が増大する恐れがある。しかし、リブ９４は、稜線が平面部９３および湾曲部９２に近づくように凹んだ形状となっているため、湾曲部９２の円周方向に沿って流れる空気流の妨げとなる恐れが少なくなっている。これにより、リブ９４が設けられることによる騒音の増大が抑制されている。
【００３６】
＜第２実施形態＞
本発明の第２実施形態が採用された空気調和機１００の室外機３００の外観を図１１に示す。空気調和機１００は、第１実施形態にかかる空気調和機１と同様に、室内に配置される室内機２と、室外に配置される室外機３００とに分かれたセパレート型の空気調和機１００であるが、室外機３００は、内部に、第１回転軸を有する第１送風ファン８１と、第２回転軸を有する第２送風ファン８２との２つの送風ファンを備えている。そして、室外機３００の前板４６には、第１吹出し口４７と第２吹出し口４８との２つの吹出し口が設けられている。第１送風ファン８１と第２送風ファン８２とは、上下に並んで第１回転軸と第２回転軸とが平行になるように配置されており、第１吹出し口４７と第２吹出し口４８とは、第１送風ファン８１と第２送風ファン８２とに対応して上下に並んで配置されている。
【００３７】
図１２に、第１ベルマウス９５と第２ベルマウス９６とが取り付けられた状態の前板４６を背面側から見た図を示す。
第１ベルマウス９５と第２ベルマウス９６とは、それぞれ第１実施形態にかかるベルマウス９と同様の形状を有しており、それぞれ第１吹出し口４７と第２吹出し口４８とに対応して上下に並んで取り付けられている。第１ベルマウス９５は、第１円筒部９５ａと第１湾曲部９５ｂと第１平面部９５ｃとを有している。第２ベルマウス９６は、第２円筒部９６ａと第２湾曲部９６ｂと第２平面部９６ｃとを有している。第１円筒部９５ａと第２円筒部９６ａとは、第１実施形態にかかるベルマウス９の円筒部９１と同様の形状であり、第１湾曲部９５ｂと第２湾曲部９６ｂとは湾曲部９２と同様の形状であり、第１平面部９５ｃと第２平面部９６ｃとは平面部９３と同様の形状となっている。また、第１ベルマウス９５の外縁および前記第２ベルマウス９６の外縁は、それぞれ略四角形に形成されており、第１ベルマウス９５と第２ベルマウス９６とは、それぞれの外縁の辺が対向して近接するように配置されている。すなわち、第１平面部９５ｃが設けられていない第１湾曲部９５ｂの直線部分と、第２平面部９６ｃが設けられていない第２湾曲部９６ｂの直線部分とが近接するように、第１ベルマウス９５と第２ベルマウス９６とは配置されている。
【００３８】
図１３に第１ベルマウス９５の断面図を、図１４に第２ベルマウス９６の断面図を示す。
第１回転軸を端部とする半平面で第１平面部９５ｃを切った断面における第１平面部９５ｃの長さを表す第１平面部長さＬ１の最大値Ｌｍ１と、第１湾曲部９５ｂの曲率半径Ｒ１との比Ｌｍ１／Ｒ１が、Ｌｍ１／Ｒ１＝１となっている。また、第２回転軸を端部とする半平面で第２平面部９６ｃを切った断面における第２平面部９６ｃの長さを表す第２平面部長さＬ２の最大値Ｌｍ２と、第２湾曲部９６ｂの曲率半径Ｒ２との比Ｌｍ２／Ｒ２が、Ｌｍ２／Ｒ２＝１となっている。
【００３９】
［特徴］
この空気調和機１００の室外機３００では、第１湾曲部９５ｂの吸込み側の外周縁から、径方向に略平行な第１平面部９５ｃが延設されている。また、第２湾曲部９６ｂの吸込み側の外周縁から、径方向に略平行な第２平面部９６ｃが延設されている。そして、第１平面部長さＬ１の最大値Ｌｍ１と、第１湾曲部９５ｂの曲率半径Ｒ１との比Ｌｍ１／Ｒ１＝１であり、第２平面部長さＬ２の最大値Ｌｍ２と、第２湾曲部９６ｂの曲率半径Ｒ２との比Ｌｍ２／Ｒ２＝１となっている。このため、第１実施形態にかかる空気調和機１の室外機３と同様に、空気流による騒音が低減されている。
【００４０】
また、第１ベルマウス９５と第２ベルマウス９６とが並設される場合、空気調和機１００の室外機３００の大型化を抑制するという観点からは、第１ベルマウス９５と第２ベルマウス９６とは近接して配置されることが望ましい。しかし、もし、第１平面部９５ｃと第２平面部９６ｃとがそれぞれ第１湾曲部９５ｂと第２湾曲部９６ｂとの全周を覆うように設けられる場合には、第１ベルマウス９５と第２ベルマウス９６との近接部分で第１平面部９５ｃと第２平面部９６ｃとが重なる恐れがある。従って、第１平面部９５ｃと第２平面部９６ｃとが重ならないように第１ベルマウス９５と第２ベルマウス９６との距離を隔てて配置することが必要となる。このため、空気調和機１００の室外機３００が大型化する恐れがある。
【００４１】
しかし、この空気調和機１００の室外機３００では、第１平面部９５ｃが設けられていない第１湾曲部９５ｂの直線部分と、第２平面部９６ｃが設けられていない第２湾曲部９６ｂの直線部分とが近接するように、第１ベルマウス９５と第２ベルマウス９６とが配置されている。すなわち、第１ベルマウス９５と第２ベルマウス９６とにおいては、第１平面部９５ｃと第２平面部９６ｃとが、第１湾曲部９５ｂと第２湾曲部９６ｂとが近接する部分近傍を除いて設けられている。このため、第１平面部９５ｃと第２平面部９６ｃとが、第１ベルマウス９５と第２ベルマウス９６とを近接させて設ける際の妨げとならない。従って、第１ベルマウス９５と第２ベルマウス９６とを近接して配置することができる。これにより、空気調和機１００の室外機３００の大型化が抑制されている。
【００４２】
＜他の実施形態＞
（１）
上記の第１実施形態では、平面部９３は、湾曲部９２の外周縁の４つの円弧状の部分からそれぞれ延設されている。すなわち、平面部９３は、湾曲部９２の外周縁の円周方向の全部に設けられるのではなく、その一部に設けられている。しかし、室外機３の内部の設置空間に余裕がある場合等には、湾曲部９２の外周縁の円周方向の全部に平面部９３が設けられてもよい。これによっても、空気流による騒音がより低減する。
【００４３】
また、上記の第１実施形態では、ベルマウス９の外縁が四角形状となるように、平面部長さＬが変化しているが、騒音の低減という観点からは、径方向長さＬが一定となってもよい。すなわち、平面部９３の外縁が円弧状、あるいは円形になっていてもよい。さらに、ベルマウス９の外縁が四角形状以外の多角形状となるように、平面部長さＬが変化していてもよい。これらの場合も、平面部９３が存在することにより、空気流の乱れを抑えて騒音を抑制することができる。
【００４４】
（２）
上記の第１実施形態では、平面部長さＬの最大値Ｌｍと、湾曲部９２の曲率半径Ｒとの比Ｌｍ／Ｒが、Ｌｍ／Ｒ＝１となっている。また、上記の第２実施形態では、第１平面部長さＬ１の最大値Ｌｍ１と、第１湾曲部９５ｂの曲率半径Ｒ１との比Ｌｍ１／Ｒ１＝１であり、第２平面部長さＬ２の最大値Ｌｍ２と、第２湾曲部９６ｂの曲率半径Ｒ２との比Ｌｍ２／Ｒ２＝１となっている。上述した試験結果から分かるように、より望ましいのは上記のようなＬｍ／Ｒ＝１、Ｌｍ１／Ｒ１＝１およびＬｍ２／Ｒ２＝１の場合であるが、０．５≦Ｌｍ／Ｒ≦１．５、０．５≦Ｌｍ１／Ｒ１≦１．５および０．５≦Ｌｍ２／Ｒ２≦１．５の範囲内であれば、空気流による騒音の低減の効果は十分に得られる。
【００４５】
（３）
ベルマウス９の外縁の形状は四角形状に限らず、四角以外の多角形でもよい。また、第１ベルマウス９５の第１湾曲部９５ｂと第２ベルマウス９６の第２湾曲部９６ｂとには、それぞれ４つの直線部分が設けられているが、第１ベルマウス９５と第２ベルマウス９６との近接部分のみが直線上になっており、他の部分は円弧状に形成されていてもよい。この場合でも、第１ベルマウス９５と第２ベルマウス９６とを近接させて配置することができ、室外機３の大型化を抑制することができる。
【００４６】
（４）
上記の第２実施形態では、第１ベルマウス９５と第２ベルマウス９６とが上下に２つ配置されているが、第１ベルマウス９５と第２ベルマウス９６との配置は上下に限られるものではない。第１送風ファン８１と第２送風ファン８２とが左右に配置されるのであれば、第１送風ファン８１と第２送風ファン８２との配置に合わせて第１ベルマウス９５と第２ベルマウス９６とが左右に並んで配置されてもよい。
【００４７】
また、第１ベルマウス９５と第２ベルマウス９６とに加えて、さらに第３ベルマウスや第４ベルマウスなど、複数のベルマウスが追加されてもよい。
（５）
上記の第１実施形態では、ベルマウス９の開口は円形の形状となっており、湾曲部９２も円形の開口を構成しているが、四角形や六角形などの多角形や楕円形など、他の形状の開口がベルマウス９に設けられてもよい。
【００４８】
第２実施形態にかかる第１湾曲部９５ｂおよび第２湾曲部９６ｂについても同様である。
（６）
上記の第１実施形態では、平面部９３が径方向に平行になっているが、平面部９３は、湾曲部９２の外縁から延設されていればよく、必ずしも径方向に平行になっていなくてもよい。
【００４９】
第２実施形態にかかる第１平面部９５ｃおよび第２平面部９６ｃについても同様である。
【００５０】
【発明の効果】
請求項１に記載の空気調和機の室外機では、湾曲部の吸込み側の外縁の少なくとも一部から平面部が延設されている。このため、ベルマウスへと吸い込まれる空気が湾曲部の吸込み側の外縁で巻き込まれることが平面部によって抑えられる。従って、湾曲部の吸込み側の外縁近傍での空気流の乱れを低減することができ、空気流による騒音を低減することができる。また、このような騒音の低減の効果は、平面部長さＬと、湾曲部の曲率半径Ｒとに関係し、平面部長さＬの最大値Ｌｍと、湾曲部の曲率半径Ｒとの比Ｌｍ／Ｒが、０．５≦Ｌｍ／Ｒ≦１．５であることが望ましいことが、本願の発明者によって明らかになった。そして、この空気調和機の室外機は、この条件に適合するベルマウスを備えるため、空気流による騒音をより低減することができる。
【００５１】
請求項２に記載の空気調和機の室外機では、平面部は、開口を挟んで対向するように設けられる。このため、この空気調和機の室外機では、送風音の偏りを低減することができる。
請求項３に記載の空気調和機の室外機では、リブは、平面部の吹出し側表面および湾曲部の湾曲の内側表面から起立しており、リブの稜線が平面部および湾曲部に近づくように凹んでいる。このため、リブが設けられている側の湾曲部と平面部との表面に沿って流れる空気流がリブによって妨げられることが低減している。これにより、この空気調和機の室外機では、リブによって騒音が生じる恐れを低減することができる。
【００５２】
請求項４に記載の空気調和機の室外機では、第１湾曲部の吸込み側の外縁の少なくとも一部から第１平面部が延設される。また、第２湾曲部の吸込み側の外縁の少なくとも一部から第２平面部が延設される。このため、第１ベルマウスや第２ベルマウスへと吸い込まれる空気が第１湾曲部や第２湾曲部の吸込み側の外縁近傍で巻き込まれることが抑えられる。従って、第１湾曲部や第２湾曲部の吸込み側の外縁での空気流の乱れを低減することができ、空気流による騒音を低減することができる。また、このような騒音の低減の効果は、第１平面部長さＬ１と、第１湾曲部の曲率半径Ｒ１とに関係し、第１平面部長さＬ１の最大値Ｌｍ１と、第１湾曲部の曲率半径Ｒ１との比Ｌｍ１／Ｒ１が、０．５≦Ｌｍ１／Ｒ１≦１．５であることが望ましく、同様に、第２平面部長さＬ２の最大値Ｌｍ２と、第２湾曲部の曲率半径Ｒ２との比Ｌｍ２／Ｒ２が、０．５≦Ｌｍ２／Ｒ２≦１．５であることが望ましいことが、本願の発明者によって明らかになった。そして、この空気調和機の室外機は、この条件の第１ベルマウスおよび第２ベルマウスを備えるため、空気流による騒音をより低減することができる。
【００５３】
また、第１ベルマウスと第２ベルマウスとが並設される場合、空気調和機の室外機の大型化を抑制するという観点からは、第１ベルマウスと第２ベルマウスとは近接して配置されることが望ましい。
この空気調和機の室外機では、第１平面部と第２平面部とは、第１湾曲部と第２湾曲部とが近接する部分近傍を除いて設けられる。このため、第１平面部と第２平面部とが第１ベルマウスと第２ベルマウスとを近接させて設ける際の妨げとなる恐れが少ない。これにより、第１ベルマウスと第２ベルマウスとを近接させて設けることが容易になっており、空気調和機の室外機の大型化を抑制することができる。
【００５４】
請求項５に記載の空気調和機の室外機では、第１ベルマウスの外縁および第２ベルマウスの外縁が略四角形に形成されている。このため、第１ベルマウスと第２ベルマウスとが並設される場合でも、ベルマウスの平面部の間に隙間が生じ難くなっている。
【図面の簡単な説明】
【図１】第１実施形態にかかる空気調和機の外観図。
【図２】室外機の側面断面図。
【図３】前板の正面図。
【図４】ベルマウスの正面図。
【図５】ベルマウスの左側面図。
【図６】ベルマウスの断面図。
【図７】リブ近傍のベルマウスの断面図。
【図８】騒音低減効果試験の試験条件を表す図。
【図９】騒音低減効果試験の試験結果のグラフ。
【図１０】騒音低減効果試験の試験結果の表。
【図１１】第２実施形態にかかる空気調和機の外観図。
【図１２】前板、第１ベルマウスおよび第２ベルマウスの正面図（背面側）。
【図１３】第１ベルマウスの断面図。
【図１４】第２ベルマウスの断面図。
【図１５】従来のベルマウスの正面図。
【図１６】従来のベルマウスの断面図。
【符号の説明】
１，１００  空気調和機
３，３００  室外機
８                              送風ファン
９                              ベルマウス
８１                            第１送風ファン
８２                            第２送風ファン
９２                            湾曲部
９３                            平面部
９４                            リブ
９５                            第１ベルマウス
９５ｂ                          第１湾曲部
９５ｃ                          第１平面部
９６                            第２ベルマウス
９６ｂ                          第２湾曲部
９６ｃ                          第２平面部
【図１】
2004211971.tif 000003
【図２】
2004211971.tif 000004
【図３】
2004211971.tif 000005
【図４】
2004211971.tif 000006
【図５】
2004211971.tif 000007
【図６】
2004211971.tif 000008
【図７】
2004211971.tif 000009
【図８】
2004211971.tif 000010
【図９】
2004211971.tif 000011
【図１０】
2004211971.tif 000012
【図１１】
2004211971.tif 000013
【図１２】
2004211971.tif 000014
【図１３】
2004211971.tif 000015
【図１４】
2004211971.tif 000016
【図１５】
2004211971.tif 000017
【図１６】
2004211971.tif 000018